(57)【要約】  出力データの切替におけるユーザの不快感を極力軽減する出力データ切替装置を提供する。出力データ切替装置は、音声成分または映像成分の少なくともいずれか一方の成分からなる出力データの出力を、出力中の第１出力データから第２出力データに切り替える出力データ切替装置２０において、第１出力データの出力態様および第２データの出力態様に基づき、第２データに関連する関連情報を、出力中の第１出力データと共に出力する関連情報出力手段（Ｓ２〜Ｓ４、Ｓ７〜Ｓ９、Ｓ６）と、関連情報の出力後において、第１出力データから第２出力データに出力を切り替える切替手段Ｓ５と、を備える。
2009118894.tif 000002
【特許請求の範囲】
【請求項１】
音声成分または映像成分の少なくともいずれか一方の成分からなる出力データの出力を、出力中の第１出力データから第２出力データに切り替える出力データ切替装置において、
前記第１出力データの出力態様および前記第２データの出力態様に基づき、前記第２データに関連する関連情報を、出力中の前記第１出力データと共に出力する関連情報出力手段と、
前記関連情報の出力後において、前記第１出力データから前記第２出力データに出力を切り替える切替手段と、
を備えることを特徴とする出力データ切替装置。
【請求項２】
前記関連情報出力手段は、前記第２出力データを構成する前記音声成分または前記映像成分のいずれか一方を前記関連情報として出力することを特徴とする出力データ切替装置。
【請求項３】
前記第１出力データの出力態様が単独の前記成分であるか否か判定する出力態様判定手段と、
前記単独の成分である場合に、第２出力データの中に、前記単独の成分に対して他の成分が存在するか否か判定する他成分存在判定手段と、を更に備え、
前記他の成分が存在する場合に、前記関連情報出力手段が、前記第２出力データを前記他の成分のみにより出力することを特徴とする請求項１または請求項２に記載の出力データ切替装置。
【請求項４】
前記第２出力データの出力態様が前記第２出力データの成分のうちから前記第１出力データの成分を除いた残りの成分が存在する出力態様である場合に、前記関連情報出力手段が、前記第２出力データを前記残りの成分のみにより出力することを特徴とする請求項１または請求項２に記載の出力データ切替装置。
【請求項５】
前記第２出力データを出力することが可能か否かを判定する出力可能判定手段を更に備え、
前記関連情報出力手段が、
前記出力可能判定手段に基づき、前記第２出力データを出力することが可能な場合に前記第２出力データの出力可能のメッセージを出力することを特徴とする請求項３または請求項４に記載の出力データ切替装置。
【請求項６】
前記関連情報出力手段が、
前記第１出力データの振幅または周波数の少なくともいずれか一方に変化を加えることにより、前記メッセージを出力することを特徴とする請求項５に記載の出力データ切替装置。
【請求項７】
前記関連情報出力手段が、
前記第２出力データを構成する前記音声成分または前記映像成分のいずれか一方を前記関連情報として出力した後に、更に前記メッセージを出力することを特徴とする請求項５または請求項６に記載の出力データ切替装置。
【請求項８】
前記第１出力データの出力態様が単独の前記成分であるか否か判定する出力態様判定手段と、
前記単独の成分である場合に、第２出力データの中に、前記単独の成分に対して他の成分が存在するか否か判定する他成分存在判定手段と、を更に備え、
前記他の成分が存在しない場合に、前記関連情報出力手段が、前記メッセージを出力することを特徴とする請求項５から請求項７のいずれか一項に記載の出力データ切替装置。
【請求項９】
前記出力可能判定手段が、
予約に基づき前記第２出力データを出力することが可能か否かを判定することを特徴とする請求項５から請求項８のいずれか一項に記載の出力データ切替装置。
【請求項１０】
前記出力可能判定手段が、
ユーザの嗜好情報に基づき出力可能な前記第２出力データを検索した結果により、前記第２出力データを出力することが可能か否かを判定することを特徴とする請求項５から請求項９のいずれか一項に記載の出力データ切替装置。
【請求項１１】
前記第１出力データに関連する情報の境界を判定する境界判定手段を更に備え、
前記境界判定手段の判定結果に基づき前記出力データ切替手段が、前記第１出力データから前記第２出力データに出力を切り替えることを特徴とする請求項１から請求項１０のいずれか一項に記載の出力データ切替装置。
【請求項１２】
前記境界判定手段が、前記第１出力データに関して予め設定されたデータの区切りおいて、前記情報の境界であると判定することを特徴とする請求項１１に記載の出力データ切替装置。
【請求項１３】
前記境界判定手段が、前記第１出力データの特徴量を抽出し、前記特徴量に基づき前記情報の境界を判定することを特徴とする請求項１１または請求項１２に記載の出力データ切替装置。
【請求項１４】
音声成分または映像成分の少なくともいずれか一方の成分からなる出力データの出力を、出力中の第１出力データから第２出力データに切り替える出力データ切替方法において、
前記第１出力データの出力態様を判定する第１出力データ出力態様判定ステップと、
前記第２出力データの出力態様を判定する第２出力データ出力態様判定ステップと、
前記第１出力データ出力態様判定ステップおよび第２出力データ出力態様判定ステップの判定結果に基づき、前記第２データに関連する関連情報を、出力中の前記第１出力データと共に出力する関連情報出力ステップと、
前記関連情報の出力後において、前記第１出力データから前記第２出力データに出力を切り替える切替ステップと、
を備えることを特徴とする出力データ切替方法。
【請求項１５】
前記第１出力データ出力態様判定ステップが、前記第１出力データの出力態様が単独の成分であるか否か判定し、
前記単独の成分である場合に、第２出力データ出力態様判定ステップが、第２出力データの中に、前記単独の成分に対して他の成分が存在するか否か判定し、
前記他の成分が存在する場合に、前記関連情報出力手段が、前記第２出力データを前記他の成分のみにより出力することを特徴とする請求項１４に記載の出力データ切替方法。
【請求項１６】
請求項１に記載の出力データ切替装置と、
出力データの供給源である複数の出力データ源装置と、を備え、
前記出力データ源装置からの出力データを、前記出力データ切替装置により切り替えて出力すること特徴とする出力データ切替システム。
【請求項１７】
請求項１に記載の出力データ切替装置に含まれるコンピュータを、
関連情報出力手段、および、前記切替手段として機能させることを特徴とする出力データ切替装置用プログラム。
【発明の詳細な説明】
【技術分野】
【０００１】
本願は、出力中のデータを切り替える出力データ切替装置等に関する。
【背景技術】
【０００２】
従来、ラジオ、テレビなどの放送受信装置やＣＤ（Compact Disc）プレーヤ、ＤＶＤ（Digital Versatile Disc）プレーヤなどの再生装置等といった様々な情報機器からのコンテンツを自動で切り替える際、ユーザに与える不快感を軽減するための技術が開示されている。例えば、切替え先の蓄積型コンテンツを、受信中の放送コンテンツがテレビコンテンツであるか又はラジオコンテンツであるかに基づき、蓄積されている蓄積型コンテンツのうちから選定するコンテンツ選定手段を設けたコンテンツ提示装置が開示されている（特許文献１）。
【特許文献１】特開２００６−２７０７７３号公報
【発明の開示】
【発明が解決しようとする課題】
【０００３】
しかしながら、上述したような従来の発明では、受信中の放送コンテンツが画像を伴うか否かを考慮して同じような態様のコンテンツを選定したとしても、切り替わる際に選定されたコンテンツに放送開始と共に切り替えを行っていたため、ユーザが不意打ちを受けたような不快感等がなお存在するという問題がある。【０００４】
本願は、以上の点に鑑みなされたものであり、その目的の一例は、出力データの切替におけるユーザの不快感を極力軽減することにある。
【課題を解決するための手段】
【０００５】
上記課題を解決するため、請求項１に記載の発明は、音声成分または映像成分の少なくともいずれか一方の成分からなる出力データの出力を、出力中の第１出力データから第２出力データに切り替える出力データ切替装置において、前記第１出力データの出力態様および前記第２データの出力態様に基づき、前記第２データに関連する関連情報を、出力中の前記第１出力データと共に出力する関連情報出力手段と、前記関連情報の出力後において、前記第１出力データから前記第２出力データに出力を切り替える切替手段と、を備えることを特徴とする。【０００６】
また請求項１４に記載の発明は、音声成分または映像成分の少なくともいずれか一方の成分からなる出力データの出力を、出力中の第１出力データから第２出力データに切り替える出力データ切替方法において、前記第１出力データの出力態様を判定する第１出力データ出力態様判定ステップと、前記第２出力データの出力態様を判定する第２出力データ出力態様判定ステップと、前記第１出力データ出力態様判定ステップおよび第２出力データ出力態様判定ステップの判定結果に基づき、前記第２データに関連する関連情報を、出力中の前記第１出力データと共に出力する関連情報出力ステップと、前記関連情報の出力後において、前記第１出力データから前記第２出力データに出力を切り替える切替ステップと、を備えることを特徴とする。【０００７】
また請求項１６に記載の発明は、請求項１に記載の出力データ切替装置と、出力データの供給源である複数の出力データ源装置と、を備え、前記出力データ源装置からの出力データを、前記出力データ切替装置により切り替えて出力すること特徴とする。【０００８】
また請求項１７に記載の発明は、請求項１に記載の出力データ切替装置に含まれるコンピュータを、関連情報出力手段、および、前記切替手段として機能させることを特徴とする。
【図面の簡単な説明】
【０００９】
【図１】本願の第１実施形態に係る出力データ切替システムの概要構成の一例を示すブロック図である。
【図２】図１の構成例の出力データ切替装置における動作の一例を示すフローチャートである。
【図３】本願の第２実施形態に係る出力データ切替システムの概要構成の一例を示すブロック図である。
【図４】図３の構成例の出力データ切替装置における動作の一例を示すフローチャートである。
【図５】本願の第３実施形態に係る出力データ切替システムの概要構成の一例を示すブロック図である。
【図６】図５の構成例の出力データ切替装置における動作の一例を示すフローチャートである。
【符号の説明】
【００１０】
１、２、４０…出力データ切替システム
１０…コンテンツ供給装置
１１…デジタルＴＶチューナ
１２…デジタルラジオチューナ
１３…ＤＶＤプレーヤ
１４…ＣＤプレーヤ
２０、２０Ａ…出力データ切替装置
２１…ソース管理部
２２…出力制御部
２３…出力判定部
２４…音声出力切替部
２５…映像出力切替
２６…メッセージ挿入部
２７…境界判定部
３０…出力装置
４１…チューナ部
４２…ＤＢ部
４３…再生部
４７…音声部
４８…映像部
【発明を実施するための最良の形態】
【００１１】
以下、本願の最良の実施形態を添付図面に基づいて説明する。
（第１実施形態）
まず、第１実施形態に係る出力データ切替システムの概要構成および機能について、図１を用いて説明する。【００１２】
図１は、第１実施形態に係る出力データ切替システムの概要構成の一例を示すブロック図である。【００１３】
図１に示すように、出力データ切替システム１は、音声や映像のコンテンツ等を供給するコンテンツ供給装置１０と、コンテンツ等の出力データを切り替える出力データ切替装置２０と、音声や映像を出力する出力装置３０等と、により構成されている。【００１４】
この構成において、コンテンツ供給装置１０は、各装置等における情報のやり取りを行う制御用ライン５と、音声成分のデータを送信する音声データ用ライン６ａと、映像成分のデータを送信する映像用ライン７ａとにより、出力データ切替装置２０に接続されている。【００１５】
出力装置３０は、音声データ用ライン６ｂ、および、映像用ライン７ｂにより、出力データ切替装置に接続されている。【００１６】
コンテンツ供給装置１０は、地上デジタル放送や衛星デジタル放送等の電波を受信し音声成分と映像成分や番組情報等を取り出すデジタルＴＶ（Television）チューナ１１と、地上デジタル音声放送や衛星デジタル音声放送等の電波を受信し音声成分や番組情報等を取り出すデジタルラジオチューナ１２と、映画等のコンテンツを再生するＤＶＤプレーヤ１３と、音楽等のコンテンツを再生するＣＤプレーヤ１４等と、により構成されている。なお、コンテンツ供給装置１０は、ハードディスクに蓄積されたコンテンツを再生する再生装置や、記憶媒体としてフラッシュメモリを用いるＳＳＤ（Solid State Drive）等を備えてもよい。【００１７】
この構成において、コンテンツ供給装置１０の各チューナやプレーヤ等は、制御用ライン５により、出力データ切替装置２０に接続されている。【００１８】
そして、これらコンテンツ供給装置１０のデジタルＴＶチューナ１１等の各機器から、音声成分または映像成分の少なくともいずれか一方の成分からなるコンテンツ等の出力データが出力データ切替装置２０に供給される。例えば、音声のみのコンテンツ、映像のみのコンテンツ、音声と映像とのコンテンツといった出力態様により、出力データが出力データ切替装置２０に供給される。【００１９】
そして、出力データ切替装置２０は、現在出力中であるコンテンツ等である第１出力データから、次に出力させるコンテンツ等である第２出力データに切り替える。ここで例えば、テレビ放送の番組の予約がされているが、現在放送がまだ開始されていないため、現在ＣＤプレーヤ１４からの音楽等をユーザが聞いている場合においては、第１出力データが、ＣＤプレーヤ１４からの出力データであり、第２出力データが、デジタルＴＶチューナ１１からの出力データである。この場合、第１出力データの出力態様は、音声成分のみからなる出力データであり、第２出力データの出力態様は、音声成分および映像成分からなる出力データである。【００２０】
出力装置３０は、音楽やナレーション等の音声を出力するスピーカ３１と静止画や動画やスライドショーのようなコマ送りの画像等の映像を映し出すモニタ３２等と、により構成され、スピーカ３１は音声データ用ライン６に、モニタ３２は映像用ライン７に接続されている。【００２１】
次に、出力データ切替装置２０の細部構成および機能について説明する。【００２２】
出力データ切替装置２０は、コンテンツ等のソースであるコンテンツ供給装置１０を制御するソース管理部２１と、ソース管理部２１に基づき出力データを制御したり、出力データ切替装置２０全体をコントロールしたりする出力制御部２２と、出力中の出力データの出力態様を判定する出力判定部２３と、音声データ用ライン６ａの音声データを切り替える音声出力切替部２４と、映像用ライン７ａの映像データを切り替える映像出力切替部２５と、映像用ライン７ｂの映像データにメッセージデータを挿入するメッセージ挿入部２６等と、により構成されている。【００２３】
この構成において、制御用ライン５ａによりソース管理部２１とコンテンツ供給装置１０とが接続し、制御用ライン５ｂによりソース管理部２１と出力制御部２２とが接続し、制御用ライン５ｃにより出力制御部２２と音声出力切替部２４および映像出力切替部２５とが接続し、制御用ライン５ｄにより出力制御部２２と出力判定部２３と音声出力切替部２４と映像出力切替部２５とが接続し、制御用ライン５ｅにより出力制御部２２とメッセージ挿入部２６とが接続している。【００２４】
また、音声出力切替部２４は、コンテンツ供給装置１０の各機器と、別々の音声データ用ライン６ａにより接続している。映像出力切替部２５も、コンテンツ供給装置１０の各機器と、別々の映像データ用ライン７ａにより接続している。音声出力切替部２４の出力側は音声データ用ライン６ｂによりスピーカ３１に接続している。映像データ用ライン７ｂにより映像出力切替部２５とメッセージ挿入部２６とモニタ３２とが接続している。【００２５】
ソース管理部２１は、ＣＰＵ（Central Processing Unit）やＲＡＭ（Random Access Memory）やＲＯＭ（Read Only Memory）等を有し、コンテンツ供給装置１０の各機器の再生状態の情報や、デジタルＴＶチューナ１１等からのＥＰＧ（Electronic Program Guide）等の電子番組情報を取得したり、これらの情報を出力制御部２２に出力したり、出力制御部２２に基づき、コンテンツ供給装置１０の各機器を制御したりする。【００２６】
出力制御部２２は、ＣＰＵやＲＡＭやＲＯＭ等を有し、出力データ切替装置２０の各部と情報のやり取りを行い、ソース管理部２１を介してコンテンツ供給装置１０の各機器を制御したり、音声出力切替部２４や映像出力切替部２５やメッセージ挿入部２６を介して音声データや映像データを制御したりしている。【００２７】
出力判定部２３は、ＣＰＵやＲＡＭやＲＯＭ等を有し、音声出力切替部２４や映像出力切替部２５の状態の情報を取得して解析している。例えば、出力判定部２３は、音声出力切替部２４における出力側の状態の他に、音声出力切替部２４における音声データの音量のレベルや周波数成分等を解析している。また、映像出力切替部２５の場合は、出力判定部２３は映像データの輝度信号や色信号等を解析している。【００２８】
音声出力切替部２４は、出力制御部２２からの指令に基づき、音声データのＯＮ／ＯＦＦや音量や周波数のフィルタリング等を制御する。【００２９】
映像出力切替部２５は、出力制御部２２からの指令に基づき、映像データのＯＮ／ＯＦＦや輝度や色調等を制御する。【００３０】
メッセージ挿入部２６は、映像出力切替部２５からの映像データに、メッセージ等のようにコンテンツ供給装置１０の出力データと主に異なる情報を重畳する。【００３１】
なお、ソース管理部２１等における処理は、プログラマブルロジックデバイス(programmable logic device: ＰＬＤ)やカスタマイズされたＬＳＩ（Large Scale Integration）等により、行われてもよい。スイッチング回路等の場合は、これら処理が、トランジスタ等の電子素子の組み合わせた構成により行われてもよい。【００３２】
出力データ切替装置２０が、第１出力データの出力態様および第２データの出力態様に基づき、第２出力データに関連する関連情報を、出力中の第１出力データと共に出力する関連情報出力手段の一例としても機能している。例えば第１出力データの出力態様については、音声出力切替部２４、映像出力切替部２５からの情報に基づき、出力判定部２３等が第１出力データの出力態様を判定する。第２データの出力態様、コンテンツ供給装置１０から制御用ライン５ａを介して収集された情報に基づき、ソース管理部２１等が第１出力データの出力態様を判定してもよい。【００３３】
コンテンツ等の再生が予約されている場合は、コンテンツ等の第２出力データの出力態様が予め分かるので、ソース管理部２１等に蓄積された出力データの出力態様の情報を基づき出力制御部２２等が第２出力データの出力態様を判定してもよい。また、第１出力データの出力態様も蓄積された出力データの出力態様の情報に基づき、出力制御部２２等が判定してもよい。【００３４】
そして、第２出力データに関連する関連情報の出力後において、出力制御部２２、音声出力切替部２４および映像出力切替部２５が、第１出力データから第２出力データに出力を切り替える切替手段の一例として機能する。【００３５】
次に、出力データ切替装置２０の動作について図に基づいて説明する。【００３６】
図２は、出力データ切替装置２０における動作の一例を示すフローチャートである。【００３７】
まず、ユーザが第１出力データの一例であるコンテンツＡを視聴しているとする。例えば、ユーザが車等の中でＣＤプレーヤ１４により再生された音楽データを聴いている。また、第２出力データの一例であるコンテンツＢは、例えば、ユーザが予約の設定をしたテレビ放送の番組における放送データである。ここで、コンテンツＡは、音楽データの場合、複数の楽曲やナレーション等が集められた一連の楽曲等でも単独の楽曲等でもよい。コンテンツＢは、放送データ等の場合、コマーシャルが挿入された番組でもよいし、異なる番組が複数集められたコンテンツでもよい。また映画やドラマやドキュメンタリ番組の場合、あるテーマや俳優や監督等に関してシリーズ化されたコンテンツでもよい。要するに出力データの出力態様が共通したコンテンツ等を集めたコンテンツ等であればよい。【００３８】
このようにユーザが第１出力データを視聴している場合において、出力制御部２２が、出力可能判定手段の一例として第２出力データを出力することが可能か否かを検出する（ステップＳ１）。例えば、出力制御部２２が、出力可能判定手段の一例として、予約に基づき第２出力データを出力することが可能か否かを判定する。具体的には、出力制御部２２が、ソース管理部２１からの情報や出力制御部２２自体内部に有するタイマーにより、ユーザが予約した放送コンテンツＢの放送が開始された又は開始間近等であることを検出する。【００３９】
次に、出力制御部２２が、出力態様判定手段一例として第１出力データの出力態様が音声成分のみであるか否かを判定する（ステップＳ２）。例えば、出力制御部２２が、出力判定部２３からの情報に基づき現在出力中のコンテンツＡの出力態様が音声成分のみであるか否かを判定する。【００４０】
第１出力データの出力態様が音声成分のみである場合に（ステップＳ２；ＹＥＳ）、出力制御部２２は、他成分存在判定手段の一例として、第２出力データの中に、音声成分に対して他の成分である映像成分が存在するか否かを判定する（ステップＳ３）。例えばコンテンツＡの出力態様が音声成分のみの場合には、出力制御部２２は、コンテンツＢが映像成分を有するコンテンツであるか否かを判定する。【００４１】
第２出力データの中に映像成分が存在する場合に（ステップＳ３；ＹＥＳ）、出力制御部２２は、第２データに関連する関連情報の一例として、第２出力データを映像成分のみにより出力する（ステップＳ４）。例えば、出力制御部２２は、ＣＤプレーヤ１４からの音声データを音声出力切替部２４に出力させながら、デジタルＴＶチューナ１１からの映像データのみを映像出力切替部２５に出力させる。すなわち、出力制御部２２が、ＣＤプレーヤ１４の音楽がスピーカ３１から出力されている状態で、デジタルＴＶチューナ１１からのコンテンツＢの映像のみをモニタ３２に映し出させる。【００４２】
その後しばらくしたら、出力制御部２２が、第２出力データに完全に出力を切り替える（ステップＳ５）。例えば、出力制御部２２は、コンテンツＢの音声成分を出力し始め、コンテンツＢに完全に移行する。【００４３】
次に、第２出力データに映像成分がない場合に（ステップＳ３；ＮＯ）、出力制御部２２が、第２出力データの出力可能のメッセージを出力する（ステップＳ６）。例えば、出力制御部２２は、メッセージ挿入部２６を介してコンテンツＢが開始された又は開始間近である旨のメッセージをモニタ３２に映し出させる。具体的には、出力制御部２２が、コンテンツＡの視聴を妨げないように、メッセージをポップアップやテロップの形式で出力させる。ここで、第２出力データの出力可能の一例は、放送開始の時刻に近づいたあるいは時刻になった以外に、あるコンテンツを予約再生させる時刻に近づいた、または、予約再生させる時刻になった旨のメッセージでもよい。【００４４】
その後しばらくしたら、出力制御部２２が第２出力データに出力を切り替える（ステップＳ５）。【００４５】
一方、第１出力データの出力態様が音声成分のみでない場合に（ステップＳ２；ＮＯ）、出力制御部２２は、第１出力データの出力態様が映像のみの成分であるか否かを判定する（ステップＳ７）。例えば、この段階ではコンテンツＡの出力態様が音声成分のみでなく、スライドショーのように映像成分のみか、映画のように音声成分および映像成分であるので、出力制御部２２は、コンテンツＡが映像成分のみか音声成分および映像成分かの振り分けを行う。【００４６】
第１出力データの出力態様が映像成分のみである場合に（ステップＳ７；ＹＥＳ）、出力制御部２２は、他成分存在判定手段の一例として、第２出力データの中に、映像の成分に対して他の成分である音声成分が存在するか否か判定する（ステップＳ８）。例えば、コンテンツＡの出力態様が映像成分のみの場合には、出力制御部２２は、コンテンツＢが音声成分を有するコンテンツであるか否かを判定する。【００４７】
次に、第２出力データの中に音声成分が存在する場合に（ステップＳ８；ＹＥＳ）、出力制御部２２は、第２データに関連する関連情報の一例として、第２出力データを音声成分のみにより出力する（ステップＳ９）。例えば、コンテンツＡがスライドショー等でコンテンツＢが放送番組のドラマ等である場合、ユーザがコンテンツＡを視聴しているときに、出力制御部２２はコンテンツＢの音声成分のみをスピーカ３１に出力させる。【００４８】
その後しばらくしたら、出力制御部２２が第２出力データに完全に出力を切り替える（ステップＳ５）。例えば、出力制御部２２は、コンテンツＢの映像成分を出力し始め、コンテンツＢに完全に移行する。【００４９】
次に、第１出力データの出力態様が音声成分および映像成分である場合（ステップＳ７；ＮＯ）または第２出力データに音声成分がない場合に（ステップＳ８；ＮＯ）、出力制御部２２が第２出力データの出力可能のメッセージを出力させる（ステップＳ６）。具体的には、メッセージをポップアップやテロップの形式で、コンテンツＡの視聴を妨げないように、出力制御部２２がメッセージを出力させる。例えば、出力制御部２２は、メッセージ挿入部２６を介してコンテンツＢが開始された又は開始間近である旨のメッセージを映像データに挿入し、モニタ３２に映し出させる。【００５０】
その後しばらくしたら、出力制御部２２が第２出力データに出力を切り替える（ステップＳ５）。【００５１】
以上、出力制御部２２が、ステップＳ２とステップＳ６とにより第１出力データの出力態様が単独の成分であるか否か判定する出力態様判定手段の一例として機能し、ステップＳ３とステップＳ７とにより第２出力データの中に、単独の成分に対して他の成分が存在するか否か判定する他成分存在判定手段の一例として機能している。【００５２】
また出力制御部２２が、出力態様判定手段と他成分存在判定手段の一例として機能して、第１出力データおよび第２出力データの出力態様の各成分が重複しないように第２出力データの関連情報を出力している。【００５３】
なお、第２出力データの出力態様が第２出力データの成分のうちから第１出力データの成分を除いた残りの成分が存在する出力態様である場合に、出力制御部２２が、関連情報出力手段の一例として、第２出力データを残りの成分のみにより出力するようにしてもよい。これにより、第１出力データおよび第２出力データの出力態様の各成分が重複しないように第２出力データの関連情報を出力できる。【００５４】
以上の構成により、コンテンツＢ等の第２出力データを出力する前に、第２出力データの映像成分のみや音声成分のみやメッセージ等の第２出力データに関連する情報を第１出力データ出力中に予め通知することにより、出力データが突然に切り替わらないので、ユーザの不快感を極力軽減できる。【００５５】
また、出力制御部２２が、出力態様判定手段と他成分存在判定手段の一例として機能して、第１出力データおよび第２出力データの出力態様の各成分が重複しないように出力データの関連情報を通知でき、ユーザが見たり聴いたりしているコンテンツ等を直接妨げることがないので、ユーザの不快感を極力軽減できる。【００５６】
そして、出力制御部２２が、第２出力データを出力することが可能か否かの判定に基づき、第２出力データを出力することが可能な場合に第２出力データの出力可能のメッセージを出力することにより、出力データの切り替えを行う前に第２出力データの出力可能のメッセージの一例として、コンテンツＢの放送が開始された等を予め通知することにより、ユーザにこれからコンテンツＢが開始されることを認識させ、不意打ちを防止し、ユーザの不快感を極力軽減できる。【００５７】
なお、本願は上記実施形態に限定されることなく、種々の変更が可能である。【００５８】
例えば、本実施形態では、第１出力データおよび第２出力データの出力態様の各成分が重複しないように第２出力データの関連情報を出力していたが、出力態様の各成分の重複があったとしても、出力制御部２２が、関連情報出力手段の一例として、第２出力データを構成する音声成分または映像成分のいずれか一方を、第２出力データに関する関連情報の一例として出力してもよい。例えば、第１出力データであるコンテンツＡがニュース番組で、第２出力データの一例であるコンテンツＢが映画である場合、ユーザがコンテンツＡであるニュース番組を視聴中に、出力制御部２２が、コンテンツＢである映画の音声のみをニュース番組に重畳して出力させてもよい。このとき、出力制御部２２が、コンテンツＡであるニュース番組の音声の音量を徐々に下げさせる一方、コンテンツＢである映画の音声の音量を徐々に上げさせるようにしてもよい。音声が完全に入れ替わった段階で、出力制御部２２が、コンテンツＡであるニュース番組の映像をコンテンツＢである映画の映像に入れ替えさせるようにしてもよい。【００５９】
この場合、第２出力データの１つの成分を利用して、ユーザに第２出力データの関連情報の出力により通知でき、第２出力データが１成分の出力態様である場合、そのまま第２出力データへ滑らかに移行でき、ユーザの不快感を極力軽減できる。また、特に第２出力データが音声成分と映像成分の２成分の出力態様である場合、一方の成分を出力して後から残りの成分を出力することにより、第２出力データのへ滑らかに移行でき、ユーザの不快感を極力軽減できる。【００６０】
また、第２出力データの出力可能のメッセージの一例として、第１出力データの振幅または周波数の少なくともいずれか一方に変化を加えることにより、出力制御部２２が、メッセージを出力させてもよい。例えば、音声出力切替部２４や映像出力切替部２５またはメッセージ挿入部２６により、出力制御部２２が、音声信号や映像信号に変調を加えさせる。音声信号ならば、出力制御部２２が、音声信号の周波数成分を周波数領域で高周波領域にシフトさせたり、低周波領域にシフトさせたりして、音程を変えさせてもよし、音量を上げたり下げたりして変化を加えさせてもよい。映像信号ならば、出力制御部２２が、輝度や色調に変化を加えさせてもよい。このように第２出力データの始まりを、第１出力データの変化により告げるようにする。また、出力制御部２２が、第２出力データの出力可能のメッセージの一例としてポップアップ、テロップの他に、耳ざわりでない音を出力させてもよい。【００６１】
これらの場合、第１出力データの振幅または周波数の少なくともいずれか一方に変化、すなわち第１出力データの出力の視聴を妨げないような変化を第１出力データ自体に加えることにより、第１出力データを突然中断させないので、ユーザの不快感を極力軽減できる。【００６２】
また、出力制御部２２が、関連情報出力手段の一例として、第２出力データを構成する音声成分または映像成分のいずれか一方を関連情報として出力した後に、更に第２出力データの出力可能のメッセージを出力してもよい。例えば、ステップＳ４やステップＳ８の後に、出力制御部２２が、ステップＳ６のように第２出力データの出力可能のメッセージを出力させてもよい。【００６３】
この場合、より確実にユーザに第２出力データの出力可能のメッセージを通知でき、出力データが切り替わることにユーザがより認識しやすく、ユーザの不快感を極力軽減できる。【００６４】
また、出力制御部２２が、第１出力データの出力態様が単独の前記成分であるか否か判定し、単独の成分である場合に、この単独の成分に対して、第２出力データの中に他の成分が存在するか否か判定して、この他の成分が不存在の場合に、関連情報出力手段の一例として、第２出力データの出力可能のメッセージを出力してもよい。【００６５】
例えば、第２出力データが音声成分および映像成分を有し、第１出力データも音声成分および映像成分している場合、第２出力データの全成分、すなわち音声成分および映像成分と第１出力データの成分とが重なっていて、第２出力データの音声成分のみや映像成分のみにより、第１出力データおよび第２出力データの出力態様の各成分が重複しないように出力できない場合に、第２出力データの出力可能のメッセージを出力する。【００６６】
他の例として、第２出力データが音声成分のみを有し、第１出力データが音声成分および映像成分、または、音声成分のみの場合、第２出力データの音声成分は、第１出力データの成分と重なっている場合がある。また、第２出力データが映像成分のみを有し、第１出力データが音声成分および映像成分、または、映像成分のみの場合、第２出力データの音声成分は、第１出力データの成分と重なっている場合がある。これらのようなときにも、出力制御部２２が、第２出力データの出力可能のメッセージを出力させる。【００６７】
この場合、特に第１出力データおよび第２出力データの出力態様の各成分が重複しないように第２出力データの音声成分のみまたは映像成分のみにより通知ができない場合、第１出力データの出力の視聴を妨げないように第２出力データ情報の一例として第２出力データに切替を告げるメッセージを通知できるので、ユーザの不快感を極力軽減できる。【００６８】
また、出力制御部２２等が、出力可能判定手段の一例として、ユーザの嗜好情報に基づき出力可能な第２出力データを検索した結果により、第２出力データを出力することが可能か否かを判定してもよい。【００６９】
この場合、予約せずとも、ユーザが視聴したいようなコンテンツ等を自動で捜してきて、ユーザによるコンテンツ等の視聴を妨げないように最新の情報を提供できる。【００７０】
また、出力データを切り替えるタイミングについて、例えば第２出力データの一例であるコンテンツＢの放送が開始される３０秒ぐらい前に、第２出力データの関連情報を出力して、ユーザの切替要求または拒否というユーザからのアクションがない限り、コンテンツＢの放送開始時に、コンテンツＢ等に完全に切り替えてもよい。【００７１】
この場合、コンテンツＢ等の先頭から視聴できるので、ユーザがコンテンツＢ等を始めから見逃さなく、ユーザの不快感を極力軽減できる。ここで、第２出力データの関連情報として、まだコンテンツＢ等の放送が開始していないので、コンテンツＢの予告編やメッセージ等を出力する。【００７２】
なお、第２出力データの関連情報を出力してから、第１出力データから第２出力データへの完全切り替わりの移行時間は、３０秒ぐらいに限定されず、ユーザにとって、切り替わるのが早すぎたり、遅すぎたりして不快に感じない時間ならばよい。また、ユーザにより移行時間を設定できるようにしてもよい。【００７３】
また、コンテンツＢの放送等が開始されてから、出力を切り替える場合、出力制御部２２がコンテンツＢの放送等の開始と共にハードディスク等の記憶装置に記憶させ、コンテンツＢの先頭から再生するようにしてもよい。このように実際の放送よりも遅れて再生されているので、出力制御部２２が、再生速度を速めて実際の放送に追いついた時点やコマーシャルの放映時間中等に、記憶装置からの再生から、実際の放送からの出力に切り替えてもよい。【００７４】
この場合、ユーザがコンテンツＢ等を始めから見逃さなく、ユーザの不快感を極力軽減できる。  また特許文献１の技術においては、ラジオコンテンツなら音響コンテンツを選定するなど切り替わりの態様が限られていたが、変形例も含めた本実施形態においては、コンテンツＡおよびコンテンツＢの態様のいかなる組み合わせでもユーザの不快感を極力軽減できる。
（第２実施形態）
次に、本願の第２実施形態に係る出力データ切替システムについて説明する。【００７５】
まず、第２実施形態に係る出力データ切替システムの概要構成について、図３を用いて説明する。なお、前記第１実施形態と同一または対応する部分には、同一の符号を用いて異なる構成および作用のみを説明する。その他の実施形態および変形例も同様とする。【００７６】
図３は、第２実施形態に係る出力データ切替システムの概要構成の一例を示すブロック図である。図３に示すように、出力データ切替システム２は、前記第１実施形態の出力データ切替システム１において、第１出力データの一例であるコンテンツＡに関連する情報の境界を判定する境界判定部２７が、ソース管理部２１に付加された構成であり、出力データ切替装置２０Ａを形成する。ここで、情報の境界の例として、楽曲と楽曲との境界や楽曲とナレーションとの境界や各楽曲等の終了部分、映画等のおけるチャプタ情報や見出し情報等の予め切れ目が設定されている部分、音量が小さくなる部分により区切られているとみなせる場合の音量が小さくなる部分、番組とコマーシャルとの境界、スポーツ中継等の盛り上がり部分と盛り上げっていない部分、等が挙げられ、第１出力データの出力を中断してもユーザが不快に感じにくい部分ならばよい。【００７７】
この構成において、境界判定部２７は、制御用ライン５ｆによりソース管理部２１と接続されている。【００７８】
境界判定部２７は、境界判定手段の一例として、第１出力データに関して予め設定されたデータの区切りおいて、情報の境界であると判定する。例えば、コンテンツ供給装置１０において現在再生されているＤＶＤプレーヤ１３やＣＤプレーヤ１４等の映画や曲の区切りを、境界判定部２７が、チャプタ情報や見出し情報やビデオファイルの情報や音楽ファイルの情報やＴＯＣ（Table Of Contents）情報等からにより判定する。また、デジタルＴＶチューナ１１からの場合は、境界判定部２７が、ＥＰＧ等の電子番組情報から情報を、放送電波やインターネット等から取得するなどして、番組の区切りを判定する。【００７９】
境界判定部２７は、これらの情報を制御用ライン５ａを介してソース管理部２１から取得し、結果をソース管理部２１に返し、出力制御部２２の制御に反映される。例えば現在再生されているコンテンツＡの境界において、出力制御部２２が、ソース管理部２１を介して、コンテンツＡの第１出力データを出力している機器の出力を止める。【００８０】
このように境界判定部２７の判定結果に基づき出力制御部２２が出力データ切替手段の一例として、第１出力データから第２出力データに出力を切り替える。【００８１】
次に、出力データ切替装置２０Ａの動作について図に基づいて説明する。【００８２】
図４は、出力データ切替装置２０Ａにおける動作の一例を示すフローチャートである。【００８３】
なお、前記第１実施形態のステップＳ５とステップＳ４、ステップＳ６またはステップＳ９との間、新たなステップが挿入された形態である。【００８４】
前記第１実施形態の同様のステップについての説明は省略し、新たに挿入されたステップについて説明する。【００８５】
図４に示すように、ステップＳ４、ステップＳ６またはステップＳ９において出力制御部２２が第２データに関連する関連情報を出力した後、ユーザの切替要求を求めるメッセージ等を出力して、ユーザからの入力を待つ（ステップＳ１０）。例えば、コンテンツＢの映像のみ等の第２データに関連する関連情報を出力した後、ユーザの手動による切替が必要か否かを求めるメッセージ等を通知する。【００８６】
手動による切替が必要でない場合、すなわち自動切替の場合（ステップＳ１０；ＮＯ）、第１出力データの境界において、出力制御部２２が第１出力データの出力を終了させる（ステップＳ１１）。例えばコンテンツＡの境界に到達するまで待って、コンテンツＡの境界で、コンテンツＡの再生を終了する。【００８７】
そして、ステップＳ１１で、出力制御部２２が第１出力データの出力を終了させたら、第１出力データから第２出力データへと完全に出力を切り替える（ステップＳ５）。【００８８】
なお、ステップＳ１０において一定時間ユーザからの入力がなければ、自動切替を行うように設定してもよい。【００８９】
一方、手動による切替の場合、ユーザからの入力があった後（ステップＳ１０；ＹＥＳ）、出力制御部２２が第１出力データの出力を強制的に終了させた後、第２出力データに完全に出力を切り替える（ステップＳ５）。【００９０】
なお、本実施形態は前記第１実施形態において、境界判定部２７が更に付加された形態であるので、第１実施形態の内容やそれらの変形例を適用させることができる。【００９１】
以上のような構成により、前記第１実施形態における効果に加えて、第１出力データにおける情報の境界において、第１出力データの一例であるコンテンツＡから第２出力データの一例であるコンテンツＢへ出力を切り替えることにより、第１出力データが突然打ち切られないので、より滑らかに第１出力データから第２出力データへ自然に移行でき、ユーザの不快感を極力軽減できる。【００９２】
また、第１出力データにおける情報の境界が、予め設定されているチャプタ情報や番組終了時間等である場合、境界判定部２７は、簡易な構成により簡便に情報の境界を判定できる。【００９３】
なお、境界判定部２７は、第１出力データの特徴量を抽出し、特徴量に基づき情報の境界を判定してもよい。例えば、現在再生されている第１出力データを出力判定部２３において、データを分析してある特徴量を抽出し、コマーシャルの始まりを判定して番組の区切りを判定したり、コンテンツの盛り上がりや、場面の変化を、音声や映像データのスペクトル分析から、峻別してコンテンツの境界を判定したりしてもよい。【００９４】
この場合、予めデータの区切りを設定しておかなくてもよい。また、予め設定されたデータの区切りまで到達するのに、時間がかかる場合でも、出力データ切替装置２０Ａは、第２出力データに出力を切り替えることができ、切り替えの予告があったにも関わらず、なかなか切り替わらないというユーザの不快感を軽減できる。【００９５】
さらに、一定時間が経過したならば、強制的に第１出力データの途中をデータの区切りと見なして、出力データを第２出力データに切り替えてもよい。この場合、第１出力データの音声であるならば音量を徐々に下げるとか、映像であるならばフェーディングさせる等、急激に切り替えないようにすることが好ましい。
（第３実施形態）
次に、本願の第３実施形態に係る出力データ切替システムについて説明する。【００９６】
まず、第３実施形態に係る出力データ切替システムの概要構成について、図５を用いて説明する。【００９７】
図５は、第３実施形態に係る出力データ切替システムの概要構成の一例を示すブロック図である。出力データ切替システム４０は、一例としてパーソナルコンピュータが挙げられ、図５に示すように地上デジタル放送や衛星デジタル放送等の電波を受信し音声成分と映像成分や番組情報等を取り出すチューナ部４１と、ハードディスク等のデータベース（ＤＢ）部４２と、ＣＤ等のメディアを再生する再生部４３と、外部の情報網と接続する通信部４４と、出力データ切替システム４０を制御する制御部４５と、入力操作を行う操作部４６と、音声データを出力する音声部４７と、映像データを出力する映像部４８と、により構成される。【００９８】
この構成において、これら各部はシステムバス４９により接続されている。【００９９】
チューナ部４１は、例えばＵＳＢ（Universal Serial Bus）に接続させるタイプのチューナである。【０１００】
データベース部４２は、映像コンテンツや音声コンテンツの他に、ワードプロセッサや表計算やウェブブラウザ等のアプリケーション・ソフトウエアを有している。【０１０１】
再生部４３は、ＤＶＤプレーヤおよびＣＤプレーヤ等やこれらのインターフェースである。【０１０２】
通信部４４は、インターネット、専用通信回線（例えば、ＣＡＴＶ（Community Antenna Television）回線）、移動体通信網（無線基地局等を含む）等と接続する。【０１０３】
制御部４５は、ＣＰＵ（Central Processing Unit）、ＲＡＭ（Random Access Memory）、ＲＯＭ（Read Only Memory）等を有している。【０１０４】
操作部４６は、キーボードやマウス等やこれらのインターフェースである。【０１０５】
音声部４７は、スピーカやそのインターフェースである。【０１０６】
映像部４８は、モニタやそのインターフェースである。【０１０７】
次に、出力データ切替システム４０の動作について図に基づいて説明する。【０１０８】
図６は、出力データ切替システム４０における動作の一例を示すフローチャートである。【０１０９】
まずユーザが第１出力データの一例であるアプリケーションを使用しているとする。例えば、ユーザがワードプロセッサのソフトウエアを起動させて、文章の作成作業をしたり、ウェブブラウザを使用したり、スライドショーを見ていたり、データベース部４２に蓄積されている音楽コンテンツを聴いていたりしている場合である。ここで、ワードプロセッサを使用している場合は、ワードプロセッサの警告音等もあるが、第１出力データの出力態様として、映像成分のみとしてもよい。【０１１０】
また、第２出力データの一例であるコンテンツＢは、例えば、ユーザが予約の設定をしたテレビ放送の番組における放送データである場合である。【０１１１】
このようにユーザが出力データ切替システム４０の一例であるパーソナルコンピュータにおいて、アプリケーションを使用している場合において、制御部４５が、出力可能判定手段の一例として第２出力データを出力することが可能か否かを検出する（ステップＳ２１）。例えば、出力可能判定手段が、予約等に基づき第２出力データを出力することが可能か否かを判定する。具体的には、制御部４５が、チューナ部４１からの情報や通信部４４を介したインターネット上の情報等および制御部４５自体内部に有するタイマーにより、ユーザが予約した放送コンテンツＢの放送が開始された又は開始間近であることを検出する。【０１１２】
次に制御部４５が、出力態様判定手段の一例としてアプリケーションからの出力態様が音声成分のみであるか否かを判定する（ステップＳ２２）。例えば、音声部４７および映像部４８の状態に基づき現在出力中のアプリケーションの出力態様が音声成分のみであるか否かを判定する。【０１１３】
アプリケーションの出力態様が音声成分のみである場合に（ステップＳ２２；ＹＥＳ）、制御部４５は、他成分存在判定手段の一例として、コンテンツＢの中に、音声成分に対して他の成分である映像成分が存在するか否か判定する（ステップＳ２３）。例えば、アプリケーションの出力態様が音声成分のみの場合には、制御部４５は、コンテンツＢが映像成分を有するコンテンツであるか否かを判定する。【０１１４】
コンテンツＢの中に映像成分が存在する場合に（ステップＳ２３；ＹＥＳ）、制御部４５は、コンテンツＢに関連する関連情報の一例として、コンテンツＢを映像成分のみを出力する（ステップＳ２４）。例えば、制御部４５は、音楽を再生させるアプリケーションにより、音楽を再生させたまま、チューナ部４１からの映像データのみを映像部４８に出力させる。【０１１５】
その後しばらくしたら、コンテンツＢに完全に出力を切り替える（ステップＳ２５）。例えば、制御部４５は、コンテンツＢの音声成分を出力し始め、コンテンツＢに完全に移行する。【０１１６】
次に、コンテンツＢに映像成分がない場合に（ステップＳ２３；ＮＯ）、制御部４５は、コンテンツＢの出力可能のメッセージを出力させる（ステップＳ２６）。【０１１７】
例えば、制御部４５は、コンテンツＢが開始された又は開始間近である旨のメッセージを映像部４８のモニタに映し出させる。具体的には、メッセージをポップアップやテロップの形式で、しかも、モニタの画面の隅やアプリケーションが開いているウィンドウの端の方に表示し、アプリケーションの作業を妨げないようにする。【０１１８】
その後しばらくしたら、制御部４５がコンテンツＢに出力を切り替える（ステップＳ２５）。【０１１９】
一方、アプリケーションの出力態様が音声成分のみでない場合に（ステップＳ２２；ＮＯ）、制御部４５は、アプリケーションの出力態様が映像のみの成分であるか否かを判定する（ステップＳ２７）。例えば、この段階ではアプリケーションの出力態様が音声成分のみでなく、ワードプロセッサのように映像成分のみか、語学の発音練習ソフトウエアのように音声成分および映像成分であるので、制御部４５は、アプリケーションが映像成分のみか音声成分および映像成分かの振り分けを行う。【０１２０】
アプリケーションが映像成分のみである場合に（ステップＳ２７；ＹＥＳ）、制御部４５は、他成分存在判定手段の一例として、コンテンツＢの中に、映像の成分に対して他の成分である音声成分が存在するか否か判定する（ステップＳ２８）。【０１２１】
例えば、アプリケーションが映像成分のみである場合には、制御部４５は、コンテンツＢが音声成分を有するコンテンツであるか否かを判定する。【０１２２】
次に、コンテンツＢの中に音声成分が存在する場合に（ステップＳ２８；ＹＥＳ）、制御部４５は、コンテンツＢに関連する関連情報の一例として、コンテンツＢを音声成分のみを出力させる（ステップＳ２９）。例えば、アプリケーションがワードプロセッサ等でコンテンツＢがドキュメンタリ番組等である場合、アプリケーションを使用しているときに、制御部４５はコンテンツＢの音声成分のみを音声部４７のスピーカから出力させる。【０１２３】
その後しばらくしたら、制御部４５が、コンテンツＢに出力を完全に切り替える（ステップＳ５）。例えば、制御部４５は、コンテンツＢの映像成分を出力し始め、コンテンツＢに完全に移行する。【０１２４】
次に、アプリケーションの出力態様が音声成分および映像成分である場合（ステップＳ２７；ＮＯ）またはコンテンツＢに音声成分がない場合に（ステップＳ２８；ＮＯ）、制御部４５が、コンテンツＢの出力可能のメッセージを出力させる（ステップＳ２６）。【０１２５】
その後しばらくしたら、制御部４５がコンテンツＢに出力を切り替える（ステップＳ２５）。【０１２６】
なお、本実施形態は前記第１実施形態や第２実施形態において、第１出力データが、コンテンツＡに代わってアプリケーションであるので、第１実施形態や第２実施形態自体の内容やそれらの変形例を適用させることができる。【０１２７】
また、パーソナルコンピュータ上で、バックグランドミュージックを聴きながらアプリケーションで作業している場合、例えば、インターネットラジオや音楽ファイルを再生しながらの作業の場合、これら音声データは、主でなく従であるので、第２出力データの音声成分で予告してもよい。【０１２８】
また、本願の実施の形態は、出力データ切替システム４０等に含まれるコンピュータ、例えば本実施形態のパーソナルコンピュータを、関連情報出力手段、および、切替手段等として機能させることを特徴とする出力データ切替装置用プログラムの形式でもよい。【０１２９】
また、携帯型無線電話機の場合、アプリケーションにより電子メールを作成していたり、インターネット上の情報を検索したり読んだりしている場合、予約してあった放送番組が始まったとき等にも、本実施形態は適用可能である。【０１３０】
さらに、本願は、上記各実施形態に限定されるものではない。上記各実施形態は、例示であり、本願の特許請求の範囲に記載された技術的思想と実質的に同一な構成を有し、同様な作用効果を奏するものは、いかなるものであっても本願の技術的範囲に包含される。
【図１】
2009118894.tif 000003
【図２】
2009118894.tif 000004
【図３】
2009118894.tif 000005
【図４】
2009118894.tif 000006
【図５】
2009118894.tif 000007
【図６】
2009118894.tif 000008
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
音声成分または映像成分の少なくともいずれか一方の成分からなる出力データの出力を、出力中の第１出力データから第２出力データに切り替える出力データ切替装置において、
前記第１出力データの出力態様および前記第２データの出力態様に基づき、前記第２データに関連する関連情報を、出力中の前記第１出力データと同時並列に出力する関連情報出力手段と、
前記関連情報の出力後の移行時間を経て、前記第１出力データから前記第２出力データに出力を切り替える切替手段と、
を備えることを特徴とする出力データ切替装置。
【請求項２】
前記関連情報出力手段は、前記第２出力データを構成する前記音声成分または前記映像成分のいずれか一方を前記関連情報として出力することを特徴とする請求項１に記載の出力データ切替装置。
【請求項３】
前記第１出力データの出力態様が単独の前記成分であるか否か判定する出力態様判定手段と、
前記単独の成分である場合に、第２出力データの中に、前記単独の成分に対して他の成分が存在するか否か判定する他成分存在判定手段と、を更に備え、
前記他の成分が存在する場合に、前記関連情報出力手段が、前記第２出力データを前記他の成分のみにより出力することを特徴とする請求項１または請求項２に記載の出力データ切替装置。
【請求項４】
前記第２出力データの出力態様が前記第２出力データの成分のうちから前記第１出力データの成分を除いた残りの成分が存在する出力態様である場合に、前記関連情報出力手段が、前記第２出力データを前記残りの成分のみにより出力することを特徴とする請求項１または請求項２に記載の出力データ切替装置。
【請求項５】
前記第２出力データを出力することが可能か否かを判定する出力可能判定手段を更に備え、
前記関連情報出力手段が、
前記出力可能判定手段に基づき、前記第２出力データを出力することが可能な場合に前記第２出力データの出力可能のメッセージを出力することを特徴とする請求項３または請求項４に記載の出力データ切替装置。
【請求項６】
前記関連情報出力手段が、
前記第１出力データの振幅または周波数の少なくともいずれか一方に変化を加えることにより、前記メッセージを出力することを特徴とする請求項５に記載の出力データ切替装置。
【請求項７】
前記関連情報出力手段が、
前記第２出力データを構成する前記音声成分または前記映像成分のいずれか一方を前記関連情報として出力した後に、更に前記メッセージを出力することを特徴とする請求項５または請求項６に記載の出力データ切替装置。
【請求項８】
前記第１出力データの出力態様が単独の前記成分であるか否か判定する出力態様判定手段と、
前記単独の成分である場合に、第２出力データの中に、前記単独の成分に対して他の成分が存在するか否か判定する他成分存在判定手段と、を更に備え、
前記他の成分が存在しない場合に、前記関連情報出力手段が、前記メッセージを出力することを特徴とする請求項５から請求項７のいずれか一項に記載の出力データ切替装置。
【請求項９】
前記出力可能判定手段が、
予約に基づき前記第２出力データを出力することが可能か否かを判定することを特徴とする請求項５から請求項８のいずれか一項に記載の出力データ切替装置。
【請求項１０】
前記出力可能判定手段が、
ユーザの嗜好情報に基づき出力可能な前記第２出力データを検索した結果により、前記第２出力データを出力することが可能か否かを判定することを特徴とする請求項５から請求項９のいずれか一項に記載の出力データ切替装置。
【請求項１１】
前記第１出力データに関連する情報の境界を判定する境界判定手段を更に備え、
前記境界判定手段の判定結果に基づき前記出力データ切替手段が、前記第１出力データから前記第２出力データに出力を切り替えることを特徴とする請求項１から請求項１０のいずれか一項に記載の出力データ切替装置。
【請求項１２】
前記境界判定手段が、前記第１出力データに関して予め設定されたデータの区切りおいて、前記情報の境界であると判定することを特徴とする請求項１１に記載の出力データ切替装置。
【請求項１３】
前記境界判定手段が、前記第１出力データの特徴量を抽出し、前記特徴量に基づき前記情報の境界を判定することを特徴とする請求項１１または請求項１２に記載の出力データ切替装置。
【請求項１４】
音声成分または映像成分の少なくともいずれか一方の成分からなる出力データの出力を、出力中の第１出力データから第２出力データに切り替える出力データ切替方法において、
前記第１出力データの出力態様を判定する第１出力データ出力態様判定ステップと、
前記第２出力データの出力態様を判定する第２出力データ出力態様判定ステップと、
前記第１出力データ出力態様判定ステップおよび第２出力データ出力態様判定ステップの判定結果に基づき、前記第２データに関連する関連情報を、出力中の前記第１出力データと同時並列に出力する関連情報出力ステップと、
前記関連情報の出力後の移行時間を経て、前記第１出力データから前記第２出力データに出力を切り替える切替ステップと、
を備えることを特徴とする出力データ切替方法。
【請求項１５】
前記第１出力データ出力態様判定ステップが、前記第１出力データの出力態様が単独の成分であるか否か判定し、
前記単独の成分である場合に、第２出力データ出力態様判定ステップが、第２出力データの中に、前記単独の成分に対して他の成分が存在するか否か判定し、
前記他の成分が存在する場合に、前記関連情報出力手段が、前記第２出力データを前記他の成分のみにより出力することを特徴とする請求項１４に記載の出力データ切替方法。
【請求項１６】
請求項１に記載の出力データ切替装置と、
出力データの供給源である複数の出力データ源装置と、を備え、
前記出力データ源装置からの出力データを、前記出力データ切替装置により切り替えて出力すること特徴とする出力データ切替システム。
【請求項１７】
請求項１に記載の出力データ切替装置に含まれるコンピュータを、
関連情報出力手段、および、前記切替手段として機能させることを特徴とする出力データ切替装置用プログラム。
【国際調査報告】
2009118894.tif 000009
2009118894.tif 000010
2009118894.tif 000011
2009118894.tif 000012